(57)【要約】【課題】表示物の重量を内部の機器本体にかけないで、且つ雨水を外箱内に侵入させないで、表示物の取付けを行える地上設置機器を得る。【解決手段】地上に外箱２を設置し、外箱２内に機器本体を収納する。外箱２の天井部２ａの内部に補強部材２０を液密に固定する。補強部材２０には外箱２の天井部２ａに開口して、この補強部材２０の下面に貫通しないタップ孔２７を設ける。【選択図】  図３
2004260873.tif 000002
【特許請求の範囲】
【請求項１】
地上に外箱を設置し、該外箱内に機器本体が収納されている地上設置機器において、
前記外箱の天井部の内部に補強部材が液密に固定され、前記補強部材には前記外箱の前記天井部に開口して、該補強部材の下面に貫通しないタップ孔が設けられていることを特徴とする地上設置機器。
【請求項２】
前記タップ孔には化粧ボルトが螺合されていることを特徴とする請求項１に記載の地上設置機器。
【請求項３】
前記補強部材が、前記外箱の天井部の内部に液密に溶接されたアングル鋼と、該アングル鋼に液密に貫通して溶接された座体とで構成され、前記座体にはその上部に開口して、その下面に貫通しないタップ孔が設けられていることを特徴とする請求項１または２に記載の地上設置機器。
【請求項４】
前記外箱の天井部には電源線引出孔が設けられていることを特徴とする請求項１〜３のいずれか１項に記載の地上設置機器。
【請求項５】
前記電源線引出孔には化粧ボルトが液密に螺合されていることを特徴とする請求項４に記載の地上設置機器。
【請求項６】
前記外箱の天井部の上に表示物が設置され、前記表示物はボルトを前記補強部材の前記タップ孔に螺合して取付けられていることを特徴とする請求項１に記載の地上設置機器。
【請求項７】
前記外箱の天井部の上に表示物が設置され、前記表示物はボルトを前記補強部材の前記タップ孔に螺合して取付けられ、前記外箱内の電源線が前記天井部の前記電源線引出孔から防水構造で立ち上げられて前記表示物側に給電されていることを特徴とする請求項４に記載の地上設置機器。
【発明の詳細な説明】
【０００１】
【発明の属する技術分野】
本発明は、例えば地上設置配電機器の如き地上設置機器に関するものである。
【０００２】
【従来の技術】
地上設置機器の天井部の上に、広告装置等の表示物を取付けることがある（例えば、特許文献１参照。）。
【０００３】
この地上設置機器１は、図１０（Ａ）（Ｂ）に示すように、地上に設置される外箱２を有し、この外箱２内には開閉器本体の如き機器本体３が収容されている。
【０００４】
外箱２の天井部２ａの縁部の上面には、外箱２から上向きにフランジ４が突設されている。このフランジ４には所要の位置に孔５が貫通してあけられている。この孔５に対応してフランジ４の内側の面には、環状のねじ挿入部６が溶接等で固定されている。
【０００５】
天井部２ａ上には、商品７が載せられている。
【０００６】
かかる状態で、天井部２ａの上には、フランジ４を支持体として透明カバー８が被せられている。この透明カバー８の下部内面には、金属製のフランジ９が接着やねじ止め等で固定されている。フランジ９には、ねじ受け１０が溶接等で固定されている。
【０００７】
ねじ挿入部６とねじ受け１０が図示のように対応した状態で、錠を構成するボルト１１がねじ込まれ、これによって透明カバー８が外箱２の上面に固定されている。錠を構成するボルト１１は、断面円形の水平孔１２ａとその先端に断面矩形の垂直孔１２ｂを有する。この水平孔１２ａに、断面円形のキー１３が差し込まれ、該キー１３の先端が垂直孔１２ｂに対応する部分に達すると、該キー１３の先端のピボット部材１３ａが垂直に起立し、垂直孔１２ｂに嵌合する。
【０００８】
このようにすると、地上設置機器１の上部に、広告装置等の表示物１４を取付けて、表示を行うことができる。
【０００９】
しかしながら、このような構造では、表示物１４の重量が大きくなると、地上設置機器１の外箱２がその重量に耐えられなくなる問題点があった。
【００１０】
そこで、出願人は、図１１に示すように、外箱２の天井部２ａに取付け孔１５をあけ、内部の機器本体３の天井に設けた取付け座１６に表示物１４を防水パッキン１７を介して載せて、表示物１４を固定するボルト１８を取付け座１６の図示しないタップ孔に螺合して固定することを提案した。
【００１１】
このような構造にすると、表示物１４の重量は、外箱２にはかからず、内部の機器本体３にかかるので、表示物１４の重量が大きくなっても支障がない。
【００１２】
【発明が解決しようとする課題】
しかしながら、図１１に示す構造では、次のような問題点がある。
【００１３】
（ａ）外箱２の天井部２ａの取付け孔１５と、内部の機器本体３の天井の取付け座１６のタップ孔の位置が合いにくい。
【００１４】
（ｂ）外箱２の天井部２ａの取付け孔１５より、外部の雨水が外箱２内に侵入するのを防ぐ防水構造を厳重にしなければならない。
【００１５】
（ｃ）表示物１４の重量が内部の機器本体３にかかるので、機器本体３の性能に悪影響を及ぼす可能性がある。
【００１６】
本発明の目的は、表示物の重量を内部の機器本体にかけないで、且つ雨水を外箱内に侵入させないで、表示物の取付けを行える地上設置機器を提供することにある。
【００１７】
本発明の他の目的は、表示物を取付けないでも支障なく使用でき、必要に応じて表示物の取付けが行える地上設置機器を提供することにある。
【００１８】
本発明の他の目的は、外箱の重量の増大を抑制し、外箱のコストの増大を抑制できる地上設置機器を提供することにある。
【００１９】
【課題を解決するための手段】
本発明は、地上に外箱を設置し、該外箱内に機器本体が収納されている地上設置機器を対象とする。
【００２０】
本発明に係る地上設置機器では、外箱の天井部の内部に補強部材が液密に固定され、該補強部材には外箱の天井部に開口して、該補強部材の下面に貫通しないタップ孔が設けられていることを特徴とする。
【００２１】
このように外箱の天井部の内部に補強部材を液密に固定すると、この補強部材で表示物の重量を分散させて負担することができ、表示物の重量を内部の機器本体にかけないようにすることができる。この補強部材に、外箱の天井部に開口して、該補強部材の下面に貫通しないタップ孔を設けると、このタップ孔に表示物を固定することができ、このタップ孔は補強部材の下面に貫通しないので、雨水を外箱内に侵入させないようにすることができる。
【００２２】
この場合、タップ孔に化粧ボルトを螺合しておくと、表示物を取付けないでも支障なく使用でき、必要に応じて化粧ボルトを外せば表示物の取付けを行うことができる。
【００２３】
また、補強部材が、外箱の天井部の内部に液密に溶接されたアングル鋼と、該アングル鋼に液密に貫通して溶接された座体とで構成され、座体にはその上部に開口して、その下面に貫通しないタップ孔が設けられていると、該補強部材を角棒等の部材で形成する場合に比べて軽量化でき、外箱の重量の増大を抑制し、外箱のコストの増大を抑制することができる。
【００２４】
また、外箱の天井部には電源線引出孔が設けられていると、この電源線引出孔を利用して表示物側に給電することができる。
【００２５】
この電源線引出孔に、化粧ボルトが液密に螺合されていると、電源線が不要なときでも、支障なく使用でき、必要に応じて化粧ボルトを外せば電源線を通すことができる。
【００２６】
また、外箱の天井部の上に表示物が設置され、表示物はボルトを補強部材のタップ孔に螺合して取付けられていると、補強部材で表示物の重量を分散させて負担することができ、表示物の重量を内部の機器本体にかけないようにすることができる。この補強部材に、外箱の天井部に開口して、該補強部材の下面に貫通しないタップ孔を設けるので、雨水を外箱内に侵入させないで表示物を支持することができる。
【００２７】
さらに、外箱の天井部の上に表示物が設置され、表示物はボルトを補強部材のタップ孔に螺合して取付けられていると、補強部材で表示物の重量を分散させて負担することができ、表示物の重量を内部の機器本体にかけないようにすることができる、また、外箱内の電源線が天井部の電源線引出孔から防水構造で立ち上げられて表示物側に給電されていると、表示物に照明を行ったり、発光により文字や画像の表示を行ったり等することができ、且つ電源線引出孔から外箱内に雨水が入るのを防止することができる。
【００２８】
【発明の実施の形態】
図１（Ａ）（Ｂ）〜図４は本発明に係る地上設置機器で表示物を取付けていない状態の実施の形態の第１例を示したもので、図１（Ａ）（Ｂ）は本例の地上設置機器の平面図及び正面図、図２は図１（Ｂ）の右側面図、図３は図１（Ｂ）のＡ部拡大縦断面図、図４は図１（Ｂ）のＢ部拡大縦断面図である。なお、前述した図１０（Ａ）（Ｂ）及び図１１と対応する部分には、同一符号を付けて示している。
【００２９】
本例の地上設置機器１の外箱２は、図１（Ａ）（Ｂ）〜図２に示すように、その正面が扉１９で開閉されるようになっている。
【００３０】
外箱２の天井部２ａの内部には、補強部材２０が液密に固定されている。この補強部材２０は、図３に示すように、外箱２の天井部２ａの内部に液密に溶接部２１で溶接されたアングル鋼２２と、該アングル鋼２２に液密に貫通して溶接部２３で溶接された座体２４とで構成されている。座体２４の上部は、外箱２の天井部２ａの孔２５に嵌められ、この孔２５の周囲に溶接部２６で溶接されて液密に固定されている。座体２４には、その上部に開口して、その下面に貫通しないタップ孔２７が設けられている。即ち、補強部材２０には外箱２の天井部２ａに開口して、該補強部材２０の下面に貫通しないタップ孔２７が設けられている。この例では、タップ孔２７には、化粧ボルト２８がパッキン２９を介して螺合されている。
【００３１】
また、外箱２の天井部２ａには、図４に示すように、電源線引出孔３０が設けられている。この電源線引出孔３０には、化粧ボルト３１がパッキン３２を介して嵌められ、座金３３を介してナット３４が螺合され、液密に閉じられている。
【００３２】
このように外箱２の天井部２ａの内部に補強部材２０を液密に固定すると、この補強部材２０で後述する表示物１４の重量を分散させて負担することができ、表示物１４の重量を内部の後述する機器本体３にかけないようにすることができる。この補強部材２０に、外箱２の天井部２ａに開口して、該補強部材２０の下面に貫通しないタップ孔２７を設けると、このタップ孔２７に表示物１４を固定することができ、このタップ孔２７は補強部材２０の下面に貫通しないので、雨水を外箱２内に侵入させないようにすることができる。
【００３３】
この場合、タップ孔２７に化粧ボルト２８を螺合しておくと、表示物１４を取付けないでも支障なく使用でき、必要に応じて化粧ボルト２８を外せば表示物１４の取付けを行うことができる。
【００３４】
また、補強部材２０が、外箱２の天井部２ａの内部に液密に溶接されたアングル鋼２２と、該アングル鋼２２に液密に貫通して溶接された座体２４とで構成され、座体２４にはその上部に開口して、その下面に貫通しないタップ孔２７が設けられていると、該補強部材２０を角棒等の部材で形成する場合に比べて軽量化でき、外箱２の重量の増大を抑制し、外箱２のコストの増大を抑制することができる。
【００３５】
また、外箱２の天井部２ａには電源線引出孔３０が設けられていると、この電源線引出孔３０を利用して表示物１４側に給電することができる。
【００３６】
この電源線引出孔３０に、化粧ボルト３１が液密に螺合されていると、電源線が不要なときでも支障なく使用でき、必要に応じて化粧ボルト３１を外せば電源線を通すことができる。
【００３７】
図５〜図７は本発明に係る地上設置機器で表示物を取付けた状態の実施の形態の第１例を示したもので、図５は本例の表示物を取付けた地上設置機器で扉を外した状態の正面図、図６は図５の縦断側面図、図７は図５のＣ部拡大縦断面図である。なお、前述した図１０（Ａ）（Ｂ），図１１及び図１（Ａ）（Ｂ）〜図４と対応する部分には、同一符号を付けて示している。
【００３８】
本例の地上設置機器１では、その外箱２の天井部２ａの上に、例えば街の歴史や地図等を表示する表示物１４が設置されている。表示物１４は、外箱２の天井部２ａの上に設置された支持フレーム３５で支持され、前方に斜めに張り出した状態になっている。また、外箱２の天井部２ａの上には、電源箱３６が設置されている。この電源箱３６には、路面の地下から立ち上げられた電源線３７が外箱２の中を立上がり、天井部２ａの電源線引出孔３０を通り、天井部２ａの上に出て電源箱３６に接続されている。電源線３７が天井部２ａの電源線引出孔３０を通り抜ける箇所では、防水コネクタ３８がＯリング３９を介して嵌められ、防水構造になっている。表示物１４に電源線３７がもたらされると、電源箱３６からの給電により、照明を行ったり、発光により文字や画像の表示を行ったり等することができる。
【００３９】
表示物１４の重量が大きくても、補強部材２０で該表示物１４の重量を分散させて負担することができ、表示物１４の重量を内部の機器本体３にかけないようにすることができる。外箱２の天井部２ａの孔は、タップ孔２７が外箱２内に開口せず、電源線引出孔３０は防水コネクタ３８等で防水されているので、雨水が外箱２内に侵入するのを防止することができる。
【００４０】
図８は本発明に係る地上設置機器で表示物を取付けていない状態の実施の形態の第２例を示した要部縦断面図である。
【００４１】
本例の地上設置機器１では、補強部材２０は断面四角形の角材４０からなり、この角材４０は外箱２の天井部２ａの内部に溶接部２１で液密に固定されている。角材４０の上部には、その上部に開口して、その下面に貫通しないタップ孔２７が設けられている。このタップ孔２７の箇所の外箱２の天井部２ａに、このタップ孔２７より大きな内径で孔２５があけられ、この天井部２ａの孔２５の内周は周方向に沿って角材４０に溶接部２６で液密に接続されている。
【００４２】
このような構造でも、第１例と同様な効果を得ることができる。タップ孔２７を使用しない場合には、図３と同様に化粧ボルト２８で塞いでおけばよい。
【００４３】
図９は本発明に係る地上設置機器で表示物を取付けていない状態の実施の形態の第３例を示した要部縦断面図である。
【００４４】
本例の地上設置機器１では、補強部材２０はアングル鋼２２とその上面に溶接部２３で固定されたナット部材４１からなる。ナット部材４１のねじ孔からなるタップ孔２７は、補強部材２０の上部に開口して、その下面に貫通しないようになっている。
【００４５】
補強部材２０の一部をなすアングル鋼２２は、外箱２の天井部２ａの内部に液密に溶接部２１で溶接されている。補強部材２０の他の一部をなすナット部材４１は、外箱２の天井部２ａの孔２５から外箱２の外に露出されている。
【００４６】
このような構造でも、第１例と同様な効果を得ることができる。タップ孔２７を使用しない場合には、図３と同様に化粧ボルト２８で塞いでおけばよい。
【００４７】
【発明の効果】
本発明に係る地上設置機器では、外箱の天井部の内部に補強部材を液密に固定しているので、この補強部材で表示物の重量を分散させて負担することができ、表示物の重量を内部の機器本体にかけないようにすることができる。この補強部材に、外箱の天井部に開口して、該補強部材の下面に貫通しないタップ孔を設けているので、このタップ孔に表示物を固定することができ、このタップ孔は補強部材の下面に貫通しないので、雨水を外箱内に侵入させないようにすることができる。
【００４８】
この場合、タップ孔に化粧ボルトを螺合しておくと、表示物を取付けないでも支障なく使用でき、必要に応じて化粧ボルトを外せば表示物の取付けを行うことができる。
【００４９】
また、補強部材が、外箱の天井部の内部に液密に溶接されたアングル鋼と、該アングル鋼に液密に貫通して溶接された座体とで構成され、座体にはその上部に開口して、その下面に貫通しないタップ孔が設けられていると、該補強部材を角棒等の部材で形成する場合に比べて軽量化でき、外箱の重量の増大を抑制し、外箱のコストの増大を抑制することができる。
【００５０】
また、外箱の天井部には電源線引出孔が設けられていると、この電源線引出孔を利用して表示物側に給電することができる。
【００５１】
この電源線引出孔に、化粧ボルトが液密に螺合されていると、電源線が不要なときでも、支障なく使用でき、必要に応じて化粧ボルトを外せば電源線を通すことができる。
【００５２】
また、外箱の天井部の上に表示物が設置され、表示物はボルトを補強部材のタップ孔に螺合して取付けられていると、補強部材で表示物の重量を分散させて負担することができ、表示物の重量を内部の機器本体にかけないようにすることができる。この補強部材に、外箱の天井部に開口して、該補強部材の下面に貫通しないタップ孔を設けるので、雨水を外箱内に侵入させないで表示物を支持することができる。
【００５３】
さらに、外箱の天井部の上に表示物が設置され、表示物はボルトを補強部材のタップ孔に螺合して取付けられていると、補強部材で表示物の重量を分散させて負担することができ、表示物の重量を内部の機器本体にかけないようにすることができる、また、外箱内の電源線が天井部の電源線引出孔から防水構造で立ち上げられて表示物側に給電されていると、表示物に照明を行ったり、発光により文字や画像の表示を行ったり等することができ、且つ電源線引出孔から外箱内に雨水が入るのを防止することができる。
【図面の簡単な説明】
【図１】（Ａ）（Ｂ）は本発明に係る地上設置機器で表示物を取付けていない状態の実施の形態の第１例の平面図及び正面図である。
【図２】図１（Ｂ）の右側面図である。
【図３】図１（Ｂ）のＡ部拡大縦断面図である。
【図４】図１（Ｂ）のＢ部拡大縦断面図である。
【図５】本発明に係る地上設置機器で表示物を取付けた状態の実施の形態の第１例で地上設置機器の扉を外した状態の正面図である。
【図６】図５の縦断側面図である。
【図７】図５のＣ部拡大縦断面図である。
【図８】本発明に係る地上設置機器で表示物を取付けていない状態の実施の形態の第２例を示した要部縦断面図である。
【図９】本発明に係る地上設置機器で表示物を取付けていない状態の実施の形態の第３例を示した要部縦断面図である。
【図１０】（Ａ）（Ｂ）は従来の地上設置機器の一例の要部拡大縦断面図及びこの例で用いている固定手段の斜視図である。
【図１１】従来の地上設置機器の他の例の要部拡大縦断面図である。
【符号の説明】
１  地上設置機器
２  外箱
２ａ  天井部
３  機器本体
４  フランジ
５  孔
６  ねじ挿入部
７  商品
８  透明カバー
９  フランジ
１０  ねじ受け
１１  ボルト
１２ａ  水平孔
１２ｂ  垂直孔
１３  キー
１３ａ  ピボット部材
１４  表示物
１５  取付け孔
１６  取付け座
１７  防水パッキン
１８  ボルト
１９  扉
２０  補強部材
２１  溶接部
２２  アングル鋼
２３  溶接部
２４  座体
２５  孔
２６  溶接部
２７  タップ孔
２８  化粧ボルト
２９  パッキン
３０  電源線引出孔
３１  化粧ボルト
３２  パッキン
３３  座金
３４  ナット
３５  支持フレーム
３６  電源箱
３７  電源線
３８  防水コネクタ
３９  Ｏリング
４０  角材
４１  ナット部材
【図１】
2004260873.tif 000003
【図２】
2004260873.tif 000004
【図３】
2004260873.tif 000005
【図４】
2004260873.tif 000006
【図５】
2004260873.tif 000007
【図６】
2004260873.tif 000008
【図７】
2004260873.tif 000009
【図８】
2004260873.tif 000010
【図９】
2004260873.tif 000011
【図１０】
2004260873.tif 000012
【図１１】
2004260873.tif 000013